(57)【要約】  同種の工作物を複数個研削する場合に、閾値をより適切に設定することにより、研削異常の判定精度を向上することができる研削異常監視方法および研削異常監視装置を提供する。  少なくとも一個の工作物Ｗの試し研削を行う際に検出した試し研削負荷についての研削開始からの経過時間または工作物Ｗと砥石車４３との相対位置に応じて異なる研削負荷の上限閾値Ｔｈ１および下限閾値Ｔｈ２の少なくとも一方を設定する。工作物Ｗの本番研削を行う際に検出した本番研削負荷が研削開始からの経過時間または工作物Ｗと砥石車４３との相対位置に応じた上限閾値Ｔｈ１および下限閾値Ｔｈ２の少なくとも一方を超えた場合に研削異常であると判定する。
2012098805.tif 000002
【特許請求の範囲】
【請求項１】
工作物と砥石車とを相対移動させることにより前記工作物を研削する研削盤を用いて、同種の前記工作物を複数個研削する際における研削異常を監視する研削異常監視方法において、
少なくとも一個の前記工作物の試し研削を行う際に試し研削負荷を検出する試し研削負荷検出工程と、
前記試し研削負荷検出工程にて検出した前記試し研削負荷についての研削開始からの経過時間または前記工作物と前記砥石車との相対位置に応じて異なる研削負荷の上限閾値および下限閾値の少なくとも一方を設定する閾値設定工程と、
前記工作物の本番研削を行う際に本番研削負荷を検出する本番研削負荷検出工程と、
前記本番研削負荷検出工程にて検出した前記本番研削負荷が前記研削開始からの経過時間または前記工作物と前記砥石車との相対位置に応じた前記上限閾値および前記下限閾値の少なくとも一方を超えた場合に研削異常であると判定する研削異常判定工程と、
を備える研削異常監視方法。
【請求項２】
請求項１において、
前記閾値設定工程は、前記上限閾値および前記下限閾値を設定し、前記上限閾値と前記下限閾値との幅を、研削開始からの経過時間または前記工作物と前記砥石車との相対位置に応じて異なる幅に設定する研削異常監視方法。
【請求項３】
請求項１または２において、
前記研削異常監視方法は、前記上限閾値および前記下限閾値の少なくとも一方を超えた異常領域について研削異常種類に応じた複数の異常種別領域を設定する異常種別領域設定工程と、を備え、
前記研削異常判定工程は、前記研削異常であると判定された場合に、複数の前記異常種別領域に基づいて前記研削異常種類を判定する研削異常監視方法。
【請求項４】
請求項３において、
前記異常種別領域は、次の前記工作物の研削の継続を禁止する警告領域と、次の前記工作物の研削の継続を許可する注意領域とに設定される研削異常監視方法。
【請求項５】
請求項１〜４の何れか一項において、
前記上限閾値および前記下限閾値は、前記工作物と前記砥石車との相対位置に応じた閾値であり、
前記研削異常監視方法は、現在の前記工作物に対する前記本番研削負荷が前記上限閾値と前記下限閾値の範囲内の場合に、後に研削する前記工作物に対する前記本番研削負荷が前記上限閾値と前記下限閾値の範囲内のうち前記上限閾値に近づくように研削条件を変更する研削条件変更工程を備える研削異常監視方法。
【請求項６】
請求項１〜５の何れか一項において、
前記研削異常監視方法は、前記研削異常判定工程により前記研削異常であると判定された場合に、前記研削異常に関する情報について、画面表示、印刷、記憶、または外部装置への出力を行う異常情報出力工程を備える研削異常監視方法。
【請求項７】
請求項６において、
前記異常情報出力工程は、前記研削異常に関する情報の過去の履歴を記憶する研削異常監視方法。
【請求項８】
請求項１〜７の何れか一項において、
前記工作物の複数の研削部位を同時に研削する研削盤に適用され、
前記試し研削負荷検出工程および前記本番研削負荷検出工程は、複数の変位センサまたは温度センサにより前記工作物の複数の研削部位のそれぞれのたわみ変形量または温度を検出し、それぞれの前記たわみ変形量または温度に基づいて各前記研削負荷を算出し、
前記閾値設定工程は、前記工作物の複数の研削部位のそれぞれについての前記上限閾値および下限閾値の少なくとも一方を設定し、
前記研削異常判定工程は、それぞれの前記本番研削負荷に基づいてそれぞれの前記研削部位の研削異常を判定する研削異常監視方法。
【請求項９】
工作物と砥石車とを相対移動させることにより前記工作物を研削する研削盤を用いて、同種の前記工作物を複数個研削する際における研削異常を監視する研削異常監視装置であって、
研削開始からの経過時間または前記工作物と前記砥石車との相対位置に対する研削負荷を検出する研削負荷検出手段と、
少なくとも一個の前記工作物の試し研削を行う際に前記研削負荷検出手段により検出した試し研削負荷についての研削開始からの経過時間または前記工作物と前記砥石車との相対位置に応じて異なる研削負荷の上限閾値および下限閾値の少なくとも一方を設定する閾値設定手段と、
前記工作物の本番研削を行う際に前記研削負荷検出手段により検出した本番研削負荷が前記研削開始からの経過時間または前記工作物と前記砥石車との相対位置に応じた前記上限閾値および前記下限閾値の少なくとも一方を超えた場合に研削異常であると判定する研削異常判定手段と、
を備える研削異常監視装置。
【発明の詳細な説明】
【技術分野】
【０００１】
本発明は、同種の工作物を複数個研削する場合において研削異常の監視を行う方法および研削異常の監視を行う装置に関するものである。
【背景技術】
【０００２】
例えば特開平４−１７６５４１号公報（特許文献１）には、工作物の加工において異常を判定する方法として、工具の送りモータの電流値が所定の閾値を超えたときに異常と判定することが記載されている。つまり、加工抵抗が所定値より大きくなった場合に、異常であると判定している。
【発明の概要】
【発明が解決しようとする課題】
【０００３】
ところで、量産製品であれば、同種の工作物を多数個研削する。このように多数の同種の工作物を研削する場合において、工作物の素材状態の形状ばらつきや、砥石車の切れ味のばらつきなど、種々の要因により、研削負荷にばらつきを生じる。そのため、閾値までの許容幅を小さくしすぎると、本来正常である場合にも、異常であると判定されるおそれがある。一方、閾値までの許容幅を大きくしすぎると、異常を正確に判定できないおそれがある。【０００４】
本発明は、このような事情に鑑みてなされたものであり、同種の工作物を複数個研削する場合に、閾値をより適切に設定することにより、研削異常の判定精度を向上することができる研削異常監視方法および研削異常監視装置を提供することを目的とする。
【課題を解決するための手段】
【０００５】
（研削異常監視方法）
（１）本発明の研削異常監視方法は、工作物と砥石車とを相対移動させることにより前記工作物を研削する研削盤を用いて、同種の前記工作物を複数個研削する際における研削異常を監視する研削異常監視方法において、少なくとも一個の前記工作物の試し研削を行う際に試し研削負荷を検出する試し研削負荷検出工程と、前記試し研削負荷検出工程にて検出した前記試し研削負荷についての研削開始からの経過時間または前記工作物と前記砥石車との相対位置に応じて異なる研削負荷の上限閾値および下限閾値の少なくとも一方を設定する閾値設定工程と、前記工作物の本番研削を行う際に本番研削負荷を検出する本番研削負荷検出工程と、前記本番研削負荷検出工程にて検出した前記本番研削負荷が前記研削開始からの経過時間または前記工作物と前記砥石車との相対位置に応じた前記上限閾値および前記下限閾値の少なくとも一方を超えた場合に研削異常であると判定する研削異常判定工程とを備える。【０００６】
本発明によれば、試し研削を行った場合の試し研削負荷に基づいて、閾値を設定している。特に、閾値は、研削開始からの経過時間または工作物と砥石車との相対位置に応じて異なるように設定されている。例えば、研削負荷は、研削開始から徐々に増大し、その後ほぼ一定の状態を継続し、最後に徐々に減少する挙動となる。また、粗研削の後に仕上研削を行う場合には、それらに応じて研削負荷が変化する。つまり、閾値が、試し研削を行った場合の試し研削負荷に応じて異なるように設定されることで、研削開始から研削終了までの間においてそれぞれの状態に応じた適切な閾値を設定できる。従って、従来のような一定の閾値では困難だった高精度な閾値を設定することができる。【０００７】
ここで、閾値としては、上限閾値と下限閾値の一方のみを設定するようにしてもよいし、上限閾値と下限閾値との両方を設定するようにしても良い。上限閾値は、当該上限閾値より大きな本番研削負荷になった場合に研削異常と判定する閾値である。下限閾値は、当該下限閾値より小さな本番研削負荷になった場合に研削異常と判定する閾値である。【０００８】
また、研削負荷は、砥石車により工作物を研削することにより砥石車および工作物に生じる負荷である。この研削負荷は、砥石車を駆動するモータの電流値、電力値、砥石車と工作物との相対移動を行う駆動軸のモータの電流値、電力値、工作物を回転可能に駆動するモータの電流値、電力値、砥石車または工作物の支持部分のたわみ変形量などにより算出できる。また、研削負荷は、工作物Ｗにおける研削部位の変形量、すなわち砥石車４３に押し付けられることにより生じる工作物Ｗのたわみ変形量に基づいて算出できる。当該たわみ変形量は、研削負荷に応じたものとなるためである。また、研削負荷は、工作物Ｗの研削部位の温度により算出できる。当該温度は、研削負荷に応じたものとなるためである。【０００９】
また、閾値は、研削開始からの経過時間に対する研削負荷についての閾値、および、工作物と砥石車との相対位置に対する研削負荷についての閾値のいずれでもよい。研削条件のうち工作物と砥石車との相対移動速度を変更しなければ、両者は一対一の関係にある。
さらに、試し研削を行った場合の試し研削負荷の挙動により、作業者が移動速度の入力ミスを行った場合に、早期に発見することができる。このように、多数の不良品を出すことを防止できる。【００１０】
（２）前記閾値設定工程は、前記上限閾値および前記下限閾値を設定し、前記上限閾値と前記下限閾値との幅を、研削開始からの経過時間または前記工作物と前記砥石車との相対位置に応じて異なる幅に設定するようにしてもよい。
これにより、より適切な閾値を設定することができる。例えば、研削開始直後において研削負荷が増大している状態と、研削負荷が一定の状態とでは、個体毎の研削負荷のばらつきが異なる場合がある。研削開始直後において研削負荷が増大している状態の方が、研削負荷が一定の状態に比べると、個体毎の研削負荷のばらつきが大きい。そこで、例えば、試し研削負荷が増大している状態における上限閾値と下限閾値との幅（許容幅）は、試し研削負荷が一定の状態における上限閾値と下限閾値との幅よりも大きく設定する。従って、より高精度に研削異常の判定を行うことができる。【００１１】
（３）また、前記研削異常監視方法は、前記上限閾値および前記下限閾値の少なくとも一方を超えた異常領域について研削異常種類に応じた複数の異常種別領域を設定する異常種別領域設定工程と、を備え、前記研削異常判定工程は、前記研削異常であると判定された場合に、複数の前記異常種別領域に基づいて前記研削異常種類を判定するようにしてもよい。【００１２】
研削異常には、種々の要因があるのが一般的である。そこで、研削異常と判定された場合に、設定された異常種別領域に基づいて研削異常種類を判定することで、どのような研削異常種類であるかを把握できる。研削異常種類としては、研削過負荷異常（例えば、研削焼け）の発生、工作物の前加工における形状ばらつきによる異常、砥石車の表面異常、研削後における工作物の表面粗さ不良などがある。形状ばらつきによる異常は、例えば、軸受の外輪の内周面の軌道面である溝を研削する場合に、前加工における溝位置や溝深さなどのばらつきによる異常である。また、砥石車の表面異常は、砥石車のドレス不良（例えばドレス取代異常、ドレッサーの切れ味不足など）による砥粒平坦化、研削負荷が大きいことによる砥粒脱落、砥粒摩滅による砥石車の切れ味低下、または、研削負荷が大きいことおよびクーラントが少ないことによる砥石車表面への切屑の溶着などである。【００１３】
（４）また、前記異常種別領域は、次の前記工作物の研削の継続を禁止する警告領域と、次の前記工作物の研削の継続を許可する注意領域とに設定されるようにしてもよい。これにより、異常の程度に応じて次の処置を適切に行うことができる。例えば、研削過負荷異常の発生は、警告領域とし、他の異常は注意領域などとする。【００１４】
（５）また、前記上限閾値および前記下限閾値は、前記工作物と前記砥石車との相対位置に応じた閾値であり、前記研削異常監視方法は、現在の前記工作物に対する前記本番研削負荷が前記上限閾値と前記下限閾値の範囲内の場合に、後に研削する前記工作物に対する前記本番研削負荷が前記上限閾値と前記下限閾値の範囲内のうち前記上限閾値に近づくように研削条件を変更する研削条件変更工程を備えるようにしてもよい。【００１５】
研削異常の判定に際して、上限閾値と下限閾値の範囲内であれば、正常であると判定している。そこで、上限閾値と下限閾値の範囲内であれば、研削条件を変更しても、正常であると判定できる。そこで、上限閾値と下限閾値の範囲内のうち上限閾値に近づくように研削条件を変更することで、研削時間、すなわち研削サイクルタイムを短縮できる。ところで、研削条件を変更することで、研削時間が変化する。工作物と砥石車との相対位置に対する閾値は、研削条件が変更されたとしても変更されない。そこで、研削条件を変更する際に、研削負荷についての閾値は、工作物と砥石車との相対位置に対するものとしている。これにより、研削条件の変更を行うことができる。【００１６】
（６）上記研削異常監視方法は、前記研削異常判定工程により前記研削異常であると判定された場合に、前記研削異常に関する情報について、画面表示、印刷、記憶、または外部装置への出力を行う異常情報出力工程を備えるようにしてもよい。
研削異常に関する情報について、画面表示、印刷、記憶、または外部装置への出力を行うことで、作業者は確実に研削異常を把握することができる。【００１７】
（７）前記異常情報出力工程は、前記研削異常に関する情報の過去の履歴を記憶するようにしてもよい。
研削異常に関する情報の過去の履歴を記憶することで、研削異常の傾向を把握できると共に、研削異常の発生のメカニズムを追求できる。そこで、研削異常の傾向および研削異常の発生のメカニズムを用いることで、今後の研削を行う際に、研削異常の発生の前兆を予測できる。その結果、今後の研削について、適切な対策を決定できる。【００１８】
（８）前記工作物の複数の研削部位を同時に研削する研削盤に適用され、前記試し研削負荷検出工程および前記本番研削負荷検出工程は、複数の変位センサまたは温度センサにより前記工作物の複数の研削部位のそれぞれのたわみ変形量または温度を検出し、それぞれの前記たわみ変形量または温度に基づいて各前記研削負荷を算出し、前記閾値設定工程は、前記工作物の複数の研削部位のそれぞれについての前記上限閾値および下限閾値の少なくとも一方を設定し、前記研削異常判定工程は、それぞれの前記本番研削負荷に基づいてそれぞれの前記研削部位の研削異常を判定するようにしてもよい。
これにより、工作物の複数の研削部位を同時に研削する場合に、それぞれの研削部位の研削異常を判定することができる。【００１９】
（研削異常監視装置）
（９）本発明の研削異常監視装置は、工作物と砥石車とを相対移動させることにより前記工作物を研削する研削盤を用いて、同種の前記工作物を複数個研削する際における研削異常を監視する研削異常監視装置であって、研削開始からの経過時間または前記工作物と前記砥石車との相対位置に対する研削負荷を検出する研削負荷検出手段と、少なくとも一個の前記工作物の試し研削を行う際に前記研削負荷検出手段により検出した前記試し研削負荷についての研削開始からの経過時間または前記工作物と前記砥石車との相対位置に応じて異なる研削負荷の上限閾値および下限閾値の少なくとも一方を設定する閾値設定手段と、前記工作物の本番研削を行う際に前記研削負荷検出手段により検出した本番研削負荷が前記研削開始からの経過時間または前記工作物と前記砥石車との相対位置に応じた前記上限閾値および前記下限閾値の少なくとも一方を超えた場合に研削異常であると判定する研削異常判定手段とを備える。【００２０】
本発明の研削異常監視装置によれば、従来のような一定の閾値では困難だった高精度な閾値を設定することができる。また、研削異常監視方法における他の特徴部分について、本発明の研削異常監視装置に同様に適用できる。そして、同様の効果を奏する。
【図面の簡単な説明】
【００２１】
【図１】研削盤の平面図である。
【図２】図２（ａ）は砥石車４３の軸方向中心と軸受外輪の内周軌道面の軸方向位置とにずれがある場合における形状ばらつきによる研削異常種類を示し、図２（ｂ）は軸受外輪の内周軌道面である溝の深さが所望深さからずれている場合における形状ばらつきによる研削異常種類を示す。
【図３】研削異常監視装置の機能ブロック図である。
【図４】閾値設定プログラムのフローチャートである。
【図５】閾値設定プログラムにおける閾値設定処理のフローチャートである。
【図６】研削開始からの経過時間に対する研削負荷を示す図であり、試し研削による試し研削負荷の平均、正常範囲の上限閾値および下限閾値を示す。
【図７】研削開始からの経過時間に対する研削負荷を示す図であり、異常種別領域を示す。
【図８】異常監視プログラムのフローチャートである。
【図９】表示装置の画面の履歴表示状態を示す。
【図１０】第二実施形態：砥石車と工作物とのＸ方向の相対位置に対する研削負荷を示す図であり、正常範囲の上限閾値および下限閾値、異常領域における異常種別領域を示す。
【図１１】第三実施形態：研削異常監視装置の機能ブロック図である。
【図１２】異常監視プログラムのフローチャートである。
【図１３】研削条件変更前において、砥石車と工作物とのＸ方向の相対位置に対する研削負荷を示す図であり、正常範囲の上限閾値および下限閾値、並びに、研削条件変更のための閾値を示す。
【図１４】研削条件変更後において、砥石車と工作物とのＸ方向の相対位置に対する研削負荷を示す図であり、正常範囲の上限閾値および下限閾値、並びに、研削条件変更のための閾値を示す。
【図１５】図１３および図１４の状態について、研削開始からの経過時間に対する砥石車と工作物とのＸ方向の相対位置を示す図である。
【図１６】第四実施形態における第一例を示す図である。
【図１７】第四実施形態における第二例を示す図である。
【図１８】第四実施形態における第三例を示す図である。
【発明を実施するための形態】
【００２２】
＜第一実施形態＞
（１．研削盤の機械構成）
研削盤１の一例として、主軸台トラバース型内面研削盤を例に挙げ、図１を参照して説明する。そして、当該研削盤１の加工対象の工作物Ｗを軸受の外輪とし、当該研削盤１を用いて当該軸受の外輪の内周軌道面を研削する場合を例に挙げて説明する。そして、ここでは、同種の工作物Ｗを複数個研削する場合、すなわち量産製品としての工作物Ｗを製造する場合を対象として説明する。
【００２３】
図１に示すように、研削盤１は、ベッド１０と、テーブル２０と、主軸台３０と、砥石支持装置４０と、近接スイッチ５０と、接触検知センサ８０と、砥石車成形装置（図示せず）と、制御装置６０とから構成される。
【００２４】
ベッド１０は、ほぼ矩形状からなり、床上に配置される。ただし、ベッド１０の形状は矩形状に限定されるものではない。このベッド１０の上面には、一対のＺ軸ガイドレール１１ａ，１１ｂが、図１の左右方向（Ｚ軸方向）に延びるように、且つ、相互に平行に形成されている。一対のＺ軸ガイドレール１１ａ，１１ｂは、テーブル２０が摺動可能なレールである。さらに、ベッド１０には、一対のＺ軸ガイドレール１１ａ，１１ｂの間に、テーブル２０を図１の左右方向に駆動するための、Ｚ軸ボールねじ１１ｃが配置され、このＺ軸ボールねじ１１ｃを回転駆動するＺ軸モータ１１ｄが配置されている。
【００２５】
さらに、ベッド１０の上面には、砥石台４２が摺動可能な一対のＸ軸ガイドレール１２ａ，１２ｂが、図１の上下方向（Ｘ軸方向）に延びるように、且つ、相互に平行に形成されている。さらに、ベッド１０には、一対のＸ軸ガイドレール１２ａ，１２ｂの間に、砥石台４２を図１の上下方向に駆動するための、Ｘ軸ボールねじ１２ｃが配置され、このＸ軸ボールねじ１２ｃを回転駆動するＸ軸モータ１２ｄが配置されている。
【００２６】
テーブル２０は、長手矩形の平板状に形成されており、ベッド１０の上面のうち、一対のＺ軸ガイドレール１１ａ，１１ｂ上を摺動可能に配置されている。テーブル２０は、Ｚ軸ボールねじ１１ｃのナット部材に連結されており、Ｚ軸モータ１１ｄの駆動により一対のＺ軸ガイドレール１１ａ，１１ｂに沿って移動する。このＺ軸モータ１１ｄはエンコーダを有しており、エンコーダによりＺ軸モータ１１ｄの回転角を検出することができる。
【００２７】
主軸台３０は、テーブル２０の上面に設けられ、工作物Ｗを回転可能に支持する。具体的には、主軸台３０は、主軸台本体３１と、マグネットチャック３２と、シュー３３と、主軸モータ３４とを備えている。主軸台本体３１は、テーブル２０の上面のうち、図１の左側に固定されている。この主軸台本体３１には、Ｚ軸周りに回転可能にマグネットチャック３２が設けられている。マグネットチャック３２は、工作物Ｗである軸受を磁力により吸着して保持する。シュー３３、マグネットチャック３２は、主軸台３０に設けられ、シュー３３によって工作物Ｗの側面を支持することにより、工作物Ｗの位置決めを行う。そして、マグネットチャック３２は、主軸モータ３４により主軸台本体３１に対して回転駆動される。この主軸モータ３４はエンコーダを有しており、エンコーダにより主軸モータ３４の回転角を検出することができる。
【００２８】
砥石支持装置４０は、砥石台４１と、砥石車駆動用モータ４２と、砥石車４３とを備えている。砥石台４１は、ベッド１０の上面のうち、一対のＸ軸ガイドレール１２ａ，１２ｂ上を摺動可能に配置されている。そして、砥石台４１は、Ｘ軸ボールねじ１２ｃのナット部材に連結されており、Ｘ軸モータ１２ｄの駆動により一対のＸ軸ガイドレール１２ａ，１２ｂに沿って移動する。
【００２９】
そして、この砥石台４１のうち主軸台３０側のＸ軸方向端面には、砥石車駆動用モータ４２が固定されている。この砥石車駆動用モータ４２の先端には、工作物Ｗである軸受外輪の内周軌道面を研削する砥石車４３が設けられている。つまり、砥石車４３は、砥石台４１に対して、Ｚ軸周りに回転可能に取り付けられている。
【００３０】
近接スイッチ５０は、ベッド１０の上面に設けられ、砥石車４３により工作物Ｗである軸受外輪の研削サイクル開始および研削サイクル終了を検出するスイッチである。つまり、近接スイッチ５０は、近接スイッチ５０に砥石台４１が接近して、近接スイッチ５０と砥石台４１とのＺ軸方向離間距離が設定値以下になると研削サイクル開始と判断する。一方、近接スイッチ５０は、近接スイッチ５０から砥石台４１が遠ざかり、近接スイッチ５０と砥石台４１とのＺ軸方向離間距離が設定値を超えた場合に研削サイクル終了と判断する。
【００３１】
接触検知センサ８０は、主軸台本体３１の側面に設けられ、砥石車４３により工作物Ｗである軸受外輪の研削開始を検出するセンサである。つまり、接触検知センサ８０は、工作物Ｗに砥石車４３が接触すると該接触を検知して研削開始と判断する。接触検知センサ８０としては、例えばＡＥセンサが用いられる。なお、接触検知センサ８０は、本実施形態において、研削負荷データの収集開始および収集終了の判定に用いている。接触検知センサ８０に代えて、砥石台４１のＸ軸位置およびテーブル２０のＺ軸位置に基づいて研削負荷データの収集開始および収集終了の判定を行うこともできる。
【００３２】
砥石車成形装置（図示せず）は、例えば主軸台３０やベッド１０に設けられ、砥石車４３の外周面を成形するドレッサーである。この砥石車成形装置によりドレッシングされた砥石車４３は、切れ味の良好な状態となり、かつ、所望形状に形成される。
【００３３】
制御装置６０は、各モータを制御して、工作物ＷをＺ軸周りに回転させ、砥石車４３を回転させ、且つ、工作物Ｗと砥石車４３とをＺ軸方向およびＸ軸方向の相対移動することにより工作物Ｗである軸受外輪の内周軌道面の研削を行う。詳細は後述する。また、制御装置６０は、工作物Ｗの研削における研削異常を監視する研削異常監視装置７０を備えている。ただし、研削異常監視装置７０は、制御装置６０の内部に備えるものに限られず、外部装置として適用することもできる。
【００３４】
（２．研削異常種類の説明）
次に、研削異常監視装置７０により監視する研削異常種類について説明する。研削異常種類としては、（Ａ）研削過負荷異常の発生、（Ｂ）工作物Ｗの前加工における形状ばらつきによる異常、（Ｃ）砥石車４３の表面異常、（Ｄ）研削後における工作物Ｗの表面粗さ不良などがある。
【００３５】
ここで、（Ｂ）工作物Ｗの前加工における形状ばらつきによる異常について、図２（ａ）（ｂ）を参照して説明する。図２（ａ）に示すように、例えば、砥石車４３により工作物Ｗである軸受外輪の内周軌道面である溝を研削する場合において、前加工における溝の軸方向位置（Ｚ軸方向位置）に所望位置からずれていることがある。このような場合には、砥石車４３の軸方向中心と軸受外輪の内周軌道面の軸方向位置とにずれが生じる。そうすると、砥石車４３により内周軌道面を研削する際に、局所的な肩当たりが生じ、局所的に研削負荷が増大する。そうすると、砥石車４３の砥粒の局所的な脱落や欠けが生じ、その後にずれのない工作物Ｗを研削する場合に、所望形状に研削できないおそれがある。
【００３６】
また、図２（ｂ）に示すように、前加工における内周軌道面である溝の深さが所望深さからずれていることがある。その結果、研削取代にばらつきが生じる。特に、溝の深さが所望深さよりも深い場合、研削によって削り残しとなる。これにより、表面粗さが不良となるおそれがある。
【００３７】
また、（Ｃ）砥石車の表面異常は、砥石車４３のドレス不良（例えばドレス取代異常、ドレッサーの切れ味不足など）による砥粒平坦化、研削負荷が大きいことによる砥粒脱落、砥粒摩滅による砥石車４３の切れ味低下、または、研削負荷が大きいことおよびクーラントが少ないことによる砥石車４３の表面への切屑の溶着などである。
【００３８】
（３．研削異常監視装置の構成）
次に、研削異常監視装置７０について、図３の機能ブロック図を参照して説明する。ここで研削異常監視装置７０を説明するに当たり、図３には、上述した研削盤１の一部構成についても記載する。ここで、図３において、図１の研削盤１の構成と同一構成については、同一符号を付す。そして、砥石車駆動用モータ４２には、当該砥石車駆動用モータ４２の駆動電力を計測するモータ電力計４２ａが取り付けられている。なお、モータ電力計４２ａに代えて、砥石車駆動用モータ４２のモータアンプにより直接電力値を収集してもよい。
【００３９】
研削異常監視装置７０は、研削負荷算出部７１と、閾値設定部７２と、異常判定部７３と、出力部７４とを備えて構成される。研削負荷算出部７１は、モータ電力計４２ａから取り込んだ砥石車駆動用モータ４２の駆動電力に基づいて、工作物Ｗを砥石車４３により研削することにより発生する研削負荷を算出する。研削負荷は、砥石車駆動用モータ４２の駆動電力が大きくなれば大きくなる関係を有している。
【００４０】
なお、研削負荷の算出方法として、本実施形態においては、砥石車駆動用モータ４２の駆動電力を用いるが、この他に以下により研削負荷を算出することもできる。例えば、研削負荷は、砥石車駆動用モータ４２の電流値、砥石車４３と工作物Ｗとの相対移動を行うＸ軸モータ１２ｄの電流値、電力値、工作物Ｗを回転可能に駆動する主軸モータ３４の電流値、電力値、砥石車４３または工作物Ｗの支持部分のたわみ変形量などにより算出できる。
【００４１】
また、研削負荷は、工作物Ｗにおける研削部位の変形量、すなわち砥石車４３に押し付けられることにより生じる工作物Ｗのたわみ変形量に基づいて算出できる。当該たわみ変形量は、研削負荷に応じたものとなるためである。工作物Ｗにおける研削部位のたわみ変形量は、例えば、変位センサにより計測する。
【００４２】
また、研削負荷は、工作物Ｗの研削部位の温度により算出できる。当該温度は、研削負荷に応じたものとなるためである。ただし、工作物Ｗにおける砥石車４３に接触している点、すなわち研削点の温度を計測することは容易でない。そこで、工作物Ｗの研削部位（内周面または外周面）のうち研削点（砥石車４３との接触点）からずれた位相の部位の温度を計測する。工作物Ｗの研削部位の温度は、研削点と研削点からずれた位相では異なるが、研削点からずれた位相の温度は、研削点の温度に応じた値となる。従って、研削点からずれた位相であっても十分に計測できる。そして、工作物Ｗの研削部位のうち研削点からずれた位相の温度の計測は、当該部位に接触させる接触式温度センサまたは当該部位に非接触とする非接触式温度センサにより計測する。
【００４３】
閾値設定部７２は、作業者によって設定された正常領域の上限閾値Ｔｈ１と正常範囲の下限閾値Ｔｈ２とを記憶する。上限閾値Ｔｈ１および下限閾値Ｔｈ２は、研削負荷に対する閾値であって、工作物Ｗの研削開始からの経過時間Ｔに応じて設定される。さらに、閾値設定部７２は、上限閾値Ｔｈ１および下限閾値Ｔｈ２を超えた異常領域について、研削異常種類に応じた複数の異常種別領域を設定し記憶する。この研削異常種類は、上述したように、（Ａ）研削過負荷異常の発生、（Ｂ）工作物Ｗの前加工における形状ばらつきによる異常、（Ｃ）砥石車４３の表面異常、（Ｄ）研削後における工作物Ｗの表面粗さ不良などがある。なお、上限閾値Ｔｈ１および下限閾値Ｔｈ２、ならびに異常種別領域の詳細については、後述する。また、上限閾値Ｔｈ１と下限閾値Ｔｈ２は、両者を設定することが望ましいが、何れか一方のみでもよい。
【００４４】
異常判定部７３は、研削負荷算出部７１により算出される実際の本番研削負荷が研削開始からの経過時間に応じた上限閾値Ｔｈ１および下限閾値Ｔｈ２を超えた場合に、研削異常であると判定する。さらに、異常判定部７３は、研削異常であると判定された場合に、実際の本番研削負荷が異常種別領域のいずれに達したかにより当該研削異常が何の研削異常種類であるかを判定する。
【００４５】
出力部７４は、研削異常であると判定された場合に、研削異常に関する情報について、表示装置８１の画面への表示処理、印刷装置８２による印字処理、記憶装置８３への記憶処理、または通信装置８４により外部装置への通信出力などを行う。出力の選択は、作業者により行われる。これにより、研削異常に関する情報について、作業者によって選択された出力形態により、作業者は確実に研削異常を把握することができる。
【００４６】
（４．研削異常監視装置による処理）
次に、研削異常監視装置７０による処理について、図４〜図８を参照して説明する。研削異常監視装置７０による処理について、閾値設定プログラムの実行、異常監視プログラムの実行の順に説明する。
【００４７】
（４−１．閾値設定プログラム）
研削異常監視装置７０による処理として、最初に閾値設定プログラムが実行される。この閾値設定プログラムの実行について、図４〜図７を参照して説明する。ここで、閾値設定プログラムの実行について説明する際に、上述した研削異常監視装置７０の各部および研削盤１の各部を用いながら説明する。
【００４８】
閾値設定プログラムは、少なくとも一個の工作物Ｗの試し研削を行う際に試し研削負荷を検出し、このときの試し研削負荷に基づいて上限閾値Ｔｈ１、下限閾値Ｔｈ２および各種異常種別領域（Ａ）〜（Ｄ）を設定する。以下に詳細に説明する。
【００４９】
図４に示すように、作業者が試し研削の個数Ｐｎを入力する（ステップＳ１）。試し研削とは、工作物Ｗの本番研削の前に本番研削と同種の工作物Ｗについて行う研削である。この試し研削の個数Ｐｎは、少なくとも一個であり、任意に設定できる。続いて、試し研削実個数Ｐを１にセットする（ステップＳ２）。
【００５０】
続いて、近接スイッチ５０がＯＮ状態に変化すると、試し研削の研削サイクルを開始する（ステップＳ３）。研削サイクルが開始されることで、図３に示すように、制御装置６０が各モータを駆動し、砥石車４３により工作物Ｗである軸受外輪の内周軌道面を研削し始める。より詳細には、研削サイクルが開始されると、図１に示すように、砥石車４３が工作物Ｗである軸受外輪の径方向内側に進入可能となる位置に向かって、砥石台４１を基準位置（図示せず）からＸ軸方向へ移動させる。その後、テーブル２０をＺ軸方向に移動させることにより、砥石車４３が工作物Ｗである軸受外輪の径方向内側に進入する。そして、砥石車４３が工作物Ｗである軸受外輪の内周軌道面に向かってＸ軸方向に移動し、研削を開始する。工作物Ｗの研削は、粗研削を行った後に、仕上研削を連続して行う。研削が終了すると、研削開始までとは逆の順序で動作し、基準位置に戻り、研削サイクルを終了する。
【００５１】
ステップＳ３における研削サイクルが開始された後には、接触検知センサ８０により砥石車４３と工作物Ｗとの接触を検知したか否かを判定する（ステップＳ４）。そして、接触を検知するまで待機する（ステップＳ４：Ｎｏ）。
【００５２】
そして、接触を検知すると（ステップＳ４：Ｙｅｓ）、研削負荷データの収集を開始する（ステップＳ５）。つまり、砥石車４３と工作物Ｗとが接触すると、研削負荷データの収集を開始する。具体的には、図３に示す研削負荷算出部７１がモータ電力計から砥石車駆動用モータ４２の電力値を取得し、試し研削負荷を算出する。なお、砥石車駆動用モータ４２の電力値は、試し研削負荷にほぼ比例すると考えられるため、モータ電力値そのものを試し研削負荷に置換して用いても良い。
【００５３】
続いて、接触検知センサ８０により接触非検知になったか否かを判定する（ステップＳ６）。つまり、接触非検知でない場合、すなわち接触検知している間、研削負荷データの収集を継続する（ステップＳ６：Ｎｏ）。そして、接触非検知になると、研削負荷データの収集を終了する（ステップＳ７）。つまり、収集された研削負荷データは、粗研削を開始して仕上研削を終了するまでの間における研削負荷データとなる。続いて、近接スイッチ５０がＯＦＦ状態になるか否かによって、研削サイクルを終了したか否かを判定する（ステップＳ８）。
【００５４】
続いて、研削サイクルを終了すると（ステップＳ８：Ｙｅｓ）、試し研削の実個数ＰがステップＳ１にて設定された個数Ｐｎであるか否かを判定する（ステップＳ９）。そして、試し研削の実個数Ｐが設定個数Ｐｎでない場合には、試し研削実個数Ｐを１加算して、ステップＳ３から繰り返す（ステップＳ１１）。つまり、二個目以降の試し研削を行い、その間の研削負荷データの収集を行う。そしてステップＳ９にて、試し研削の実個数Ｐが設定個数Ｐｎになると、閾値設定処理を実行する（ステップＳ１０）。
【００５５】
ここで、収集した研削負荷データの挙動の一例について図６を参照して説明する。図６のＤａｔａは、複数回収集した研削負荷データの平均値の挙動を示す。図６のＤａｔａに示すように、研削開始から粗研削が始まると（時間５〜１０の範囲）、試し研削負荷が急激に大きくなっている。その後、一定の試し研削負荷となる粗研削が、時間１３付近まで行われている。その後、仕上研削が行われ、最終的に試し研削負荷がゼロに近い状態となっている。
【００５６】
次に、図４の閾値設定プログラムのステップＳ１０における閾値設定処理について、図５を参照して説明する。収集した研削負荷データを用いて試し研削負荷の平均を算出する（ステップＳ２１）。なお、試し研削の個数Ｐｎが一個であれば、試し研削負荷の平均は、一個の研削負荷データそのものとなる。
【００５７】
続いて、算出された試し研削負荷の平均について表示装置８１に画面表示を行う（ステップＳ２２）。つまり、図６のＤａｔａが表示装置８１の画面に表示される。続いて、正常範囲の上限閾値Ｔｈ１および下限閾値Ｔｈ２の入力を行う（ステップＳ２３）。上限閾値Ｔｈ１および下限閾値Ｔｈ２は、図６に示すように、研削開始からの経過時間に応じて異なるように設定されている。つまり、上限閾値Ｔｈ１および下限閾値Ｔｈ２は、どちらも、試し研削負荷の挙動に沿うように設定されている。
【００５８】
例えば、研削開始直後において研削負荷が増大している状態と、研削負荷が一定の状態とでは、個体毎の研削負荷のばらつきが異なる場合がある。研削開始直後において研削負荷が増大している状態の方が、研削負荷が一定の状態に比べると、個体毎の研削負荷のばらつきが大きい。そこで、例えば、試し研削負荷が増大している状態における上限閾値Ｔｈ１と下限閾値Ｔｈ２との幅（許容幅）は、試し研削負荷が一定の状態における上限閾値Ｔｈ１と下限閾値Ｔｈ２との幅よりも大きく設定する。従って、より高精度に研削異常の判定を行うことができる。
【００５９】
上限閾値Ｔｈ１および下限閾値Ｔｈ２の設定を終了すると、研削異常種類毎の異常種別領域の設定を行う（ステップＳ２４）。異常種別領域については、図７を参照して説明する。図７に示すように、研削異常種類として、（Ａ１）研削過負荷異常の発生、（Ｂ１）工作物Ｗの前加工における形状ばらつきによる異常、（Ｃ１）砥石車４３の表面異常、（Ｄ１）研削後における工作物Ｗの表面粗さ不良について、異常種別領域を設定する。
【００６０】
図５に戻り説明する。図５のステップＳ２５の次には、警告領域および注意領域の設定を行い（ステップＳ２５）、閾値設定処理を終了する。図７に示す異常種別領域のそれぞれについて、警告領域または注意領域として設定する。具体的には、（Ａ１）研削過負荷異常の発生を「警告領域」に設定し、それ以外の異常種別領域について「注意領域」に設定する。ここで、警告領域は、次の工作物Ｗの研削の継続を禁止する領域であり、注意領域は、異常ではあるが程度が低いため、次の工作物Ｗの研削の継続は許可する領域である。
【００６１】
（４−２．異常監視プログラム）
次に、異常監視プログラムについて説明する。この異常監視プログラムの実行について、図８を参照して説明する。異常監視プログラムは、現在の本番研削負荷と予め設定された各閾値Ｔｈ１，Ｔｈ２とに基づいて、研削異常が発生したか否かを判定する。さらに、研削異常である場合には、各異常種別領域（Ａ１）〜（Ｄ１）に基づいて、研削異常種類を判定する。以下に詳細に説明する。
【００６２】
図８に示すように、まず上述したように閾値設定プログラムを実行して、閾値パターンの設定を行う（ステップＳ３１）。つまり、閾値Ｔｈ１，Ｔｈ２および異常種別領域（Ａ１）〜（Ｄ１）の設定を行う。
【００６３】
続いて、近接スイッチ５０がＯＮ状態に変化すると、本番研削の研削サイクルを開始する（ステップＳ３２）。研削サイクルが開始されることで、研削盤１の各部が試し研削にて説明した動作と同様の動作を行う。研削サイクルが開始された後には、接触検知センサ８０により砥石車４３と工作物Ｗとの接触を検知したか否かを判定する（ステップＳ３３）。そして、接触を検知するまで待機する（ステップＳ３３：Ｎｏ）。
【００６４】
そして、接触を検知すると（ステップＳ３３：Ｙｅｓ）、研削負荷データの収集を開始する（ステップＳ３４）。具体的には、図３に示す研削負荷算出部７１がモータ電力計から砥石車駆動用モータ４２の電力値を取得し、本番研削負荷を算出する。なお、本番研削においても、試し研削の時と同様に、砥石車駆動用モータ４２の電力値は、本番研削負荷にほぼ比例すると考えられるため、モータ電力値そのものを本番研削負荷に置換して用いても良い。
【００６５】
そして、研削負荷データの収集の開始直後から、研削異常判定を行う（ステップＳ３５）。つまり、図７に示すように、現時点における本番研削負荷に基づいて、研削異常の判定を行う。具体的には、現時点における本番研削負荷が、研削開始からの経過時間に応じた上限閾値Ｔｈ１および下限閾値Ｔｈ２を超えたか否かを判定する。さらに、現時点における本番研削負荷が研削異常と判定された場合に、研削異常種類を判定する。具体的には、現時点における本番研削負荷が、図７における各種異常種別領域（Ａ１）〜（Ｄ１）のいずれに位置するかにより、研削異常種類を判定する。
【００６６】
続いて、接触検知センサ８０により接触非検知になったか否かを判定する（ステップＳ３６）。接触非検知でない場合、すなわち接触検知している間、データの収集および判定を継続する（ステップＳ３６：Ｎｏ）。そして、接触非検知になると、研削負荷データの収集を終了する（ステップＳ３７）。研削負荷データの収集を終了すると、同時に研削異常判定も終了する。続いて、近接スイッチ５０がＯＦＦ状態になるか否かによって、研削サイクルを終了したか否かを判定する（ステップＳ３８）。
【００６７】
続いて、研削サイクルを終了すると（ステップＳ３８：Ｙｅｓ）、研削異常判定の結果が正常であるか否かを判定する（ステップＳ３９）。正常であれば、次の工作物Ｗが有るか否かを判定し（ステップＳ４０）、次の工作物Ｗが有ればステップＳ３２から処理を繰り返す。一方、次の工作物Ｗがなければ、異常監視プログラムを終了する。
【００６８】
一方、ステップＳ３９にて研削異常判定の結果が研削異常と判定された場合には、図３の出力部７４により、表示装置８１に異常内容を表示する（ステップＳ４１）。さらに、出力部７４により、記憶装置８３に異常内容を記憶する（ステップＳ４２）。ここで、本実施形態においては、同種の工作物Ｗを多数研削するため、過去の工作物Ｗに対して研削異常と判定された場合には、そのときの異常内容が記憶装置８３に記憶されている。つまり、過去の研削異常についての履歴が記憶装置８３に記憶される。
【００６９】
そして、ステップＳ４２にて異常内容を記憶した後には、研削異常種類が注意領域であるか否かを判定する（ステップＳ４３）。研削異常種類が、（Ｂ１）形状ばらつき、（Ｃ１）砥石車４３の表面異常、（Ｄ１）工作物Ｗの表面粗さ不良であれば、注意領域の異常となる。そして、研削異常種類が注意領域であれば、ステップＳ４０に移行し、次の工作物Ｗがあれば、ステップＳ３２から繰り返す。
【００７０】
また、ステップＳ４３にて研削異常種類が注意領域でない場合、すなわち研削異常種類が警告領域である場合には、制御装置６０に対して研削を停止させて、異常監視プログラムを終了する。つまり、警告領域となる研削異常が発生すると、研削盤１による研削を停止する（ステップＳ４４）。
【００７１】
（５．表示装置の画面の履歴表示状態）
次に、図９を参照して、表示装置８１の画面の履歴表示状態について説明する。図８の研削異常監視プログラムの実行により、研削異常が発生した場合には（図８のステップＳ３９）、異常内容が記憶装置８３に記憶される（図８のステップＳ４２）。なお、記憶装置８３には、異常内容の他、正常内容についても記憶しても良い。そして、研削異常監視プログラムを実行する間、多数の工作物Ｗの研削が行われる。つまり、記憶装置８３には、過去の異常履歴が記憶される。また、研削異常として記憶されていない工作物Ｗは、正常であることが分かる。また、記憶装置８３に正常内容が記憶されている場合には、直接的に正常である工作物Ｗを把握できる。
【００７２】
そうすると、図９に示すように、表示装置８１の画面には、全ての工作物Ｗについて、正常であるか研削異常であるかが表示され、かつ、研削異常の場合には研削異常種類および異常発生時刻が表示される。このように、研削異常に関する情報の過去の履歴を記憶することで、研削異常の傾向を把握できると共に、研削異常の発生のメカニズムを追求できる。そこで、研削異常の傾向および研削異常の発生のメカニズムを用いることで、今後の研削を行う際に、研削異常の発生の前兆を予測できる。その結果、今後の研削について、適切な対策を決定できる。
【００７３】
以上説明したように、試し研削を行った場合の試し研削負荷に基づいて、上限閾値Ｔｈ１および下限閾値Ｔｈ２を設定している。特に、上限閾値Ｔｈ１および下限閾値Ｔｈ２は、研削開始からの経過時間に応じて異なるように設定されている。例えば、研削負荷は、研削開始から徐々に増大し、その後ほぼ一定の状態を継続し、最後に徐々に減少する挙動となる。また、粗研削の後に仕上研削を行う場合には、それらに応じて研削負荷が変化する。つまり、上限閾値Ｔｈ１および下限閾値Ｔｈ２が、試し研削を行った場合の試し研削負荷に基づいて、研削開始からの経過時間に応じて異なるように設定されることで、研削開始から研削終了までの間においてそれぞれの状態に応じた適切な閾値を設定できる。従って、従来のような一定の閾値では困難だった高精度な閾値を設定することができる。さらに、試し研削を行った場合の試し研削負荷の挙動により、作業者が移動速度の入力ミスを行った場合に、早期に発見することができる。このように、多数の不良品を出すことを防止できる。
【００７４】
なお、研削負荷データの収集開始および収集終了の判定は、上記実施形態において近接スイッチ５０を用いたが、この近接スイッチ５０を用いずに、砥石台４１およびテーブル２０が予め設定されたＸ軸位置およびＺ軸位置に移動してきたことにより行うこともできる。
【００７５】
＜第二実施形態＞
上述した実施形態において、研削負荷に関する情報の図として、横軸を研削開始からの経過時間としたが、砥石車４３と工作物ＷとのＸ軸方向における相対位置とすることもできる。この場合の、上限閾値Ｔｈ１、下限閾値Ｔｈ２、各異常種別領域（Ａ２）（Ｂ２）（Ｃ２）（Ｄ２）について、図１０に示す。研削開始からの経過時間に対する研削負荷の挙動は、実質的に、当該Ｘ軸方向における相対位置に対する研削負荷の挙動と同じようになる。従って、この場合にも、上記と同様の効果を奏する。
【００７６】
＜第三実施形態＞
次に、第三実施形態の研削異常監視装置について説明する。上述した研削異常監視装置７０は、研削条件を変更することなく、同種の工作物Ｗを多数個研削することとした。本実施形態では、正常範囲のうち上限閾値Ｔｈ１に近くなるように、研削条件を変更することとした。以下に詳細に説明する。
【００７７】
（１．研削異常監視装置の構成）
本実施形態における研削異常監視装置１７０について図１１を参照して説明する。本実施形態の研削異常監視装置１７０は、研削負荷算出部１７１と、異常判定部１７３と、出力部７４（第一実施形態と同様）と、研削条件変更部１７５とを備えて構成される。ここで、閾値設定部１７２と研削条件変更部１７５以外においては、第一実施形態の各部は、研削開始からの経過時間に対する研削負荷を用いたのに対して、本実施形態の各部は、砥石車４３と工作物ＷとのＸ軸方向における相対位置に応じた研削負荷を用いる点が相違する。つまり、第二実施形態として説明した状態となる。
【００７８】
閾値設定部１７２は、正常範囲中において、正常範囲の上限閾値Ｔｈ１に近い閾値として、研削条件変更用閾値Ｔｈ３を設定する。この研削条件変更用閾値Ｔｈ３は、本番研削負荷が当該閾値Ｔｈ３を下回った場合には、本番研削負荷が当該閾値Ｔｈ３を超える状態となるように研削条件を変更するための閾値である。研削条件変更部１７５は、異常判定部１７３により正常と判定された場合に、研削時間が短くなるように研削条件を変更する。具体的には、現在の本番研削負荷が研削条件変更用閾値Ｔｈ３を下回っている場合には、研削条件変更用閾値Ｔｈ３を超えるように研削条件を変更する。例えば、砥石車４３の工作物Ｗに対するＸ軸方向の送り速度を速くする。
【００７９】
（２．研削異常監視装置による処理）
研削異常監視装置１７０による処理について図１２を参照して説明する。ここで、閾値設定プログラムは、実質的に第一実施形態と同様である。異常監視プログラムは、図１２に示すように、第一実施形態の異常監視プログラムに対して、ステップＳ５０の研削条件変更の処理が相違する。その他のステップは共通であるため、同一ステップ番号を付して説明を省略する。
【００８０】
つまり、異常監視プログラムにおいて、ステップＳ３９において正常と判定された場合、または、ステップＳ４３にて注意領域と判定された場合であって、次の工作物Ｗが有る場合には（ステップＳ４０：Ｙｅｓ）、研削条件の変更が行われる（ステップＳ５０）。現在収集された相対位置に応じた研削負荷データが図１３に示す挙動であったとする。このとき、現在収集された研削負荷データは、研削条件変更用閾値Ｔｈ３を下回っている。
【００８１】
そうすると、現在収集された研削負荷データと研削条件変更用閾値Ｔｈ３との差分を算出して、その差分に応じて、砥石車４３の工作物Ｗに対するＸ軸方向の送り速度を速くするように変更する。そして、ステップＳ３２から処理を繰り返す。つまり、次の工作物Ｗに対しては、変更した研削条件により研削が行われる。
【００８２】
変更した研削条件により行われた研削において、研削負荷データは、図１４に示す挙動となったとする。つまり、研削負荷データは、正常範囲内であって、研削条件変更用閾値Ｔｈ３を超えている。そして、研削条件の変更前後における研削時間は、図１５に示すようになる。つまり、図１５のＤａｔａ１にて示す研削条件変更前に比べて、図１５のＤａｔａ２にて示す研削条件変更後の方が、研削時間が短くなっていることが分かる。
【００８３】
つまり、上限閾値Ｔｈ１と下限閾値Ｔｈ２の範囲内のうち上限閾値Ｔｈ１に近づくように研削条件を変更することで、研削時間、すなわち研削サイクルタイムを短縮できる。なお、研削条件を変更することで、研削時間が変化する。工作物Ｗと砥石車４３との相対位置に対する閾値は、研削条件が変更されたとしても変更されない。そこで、研削条件を変更する際に、研削負荷についての閾値Ｔｈ１，Ｔｈ２は、工作物Ｗと砥石車４３との相対位置に対するものとしている。これにより、上述したように、確実に研削条件の変更を行うことができる。
【００８４】
＜第四実施形態＞
上記においては、工作物Ｗの単一位置を研削する場合であって、単一の研削部位の研削負荷を算出し、当該研削負荷を用いて異常監視を行うことについて説明した。この他に、工作物Ｗの複数位置を同時に研削する場合には、以下のようにすることができる。つまり、それぞれの研削部位の研削負荷を算出し、それぞれの研削負荷を用いて、それぞれの研削部位における異常監視を行うようにすることもできる。第四実施形態について図１６〜図１８を参照して説明する。
【００８５】
第一例は、図１６に示す。第一例の工作物Ｗは、複数のフランジ部Ｗｂ，Ｗｂ、Ｗｂを有する軸状に形成されている。そして、工作物Ｗのうち隣り合うフランジ部Ｗｂ，Ｗｂ，Ｗｂの間に位置する小径軸部Ｗａ，Ｗａの外周面のそれぞれを砥石車４３，４３により研削する。そして、複数の変位センサ１００，１００により、工作物Ｗのそれぞれの小径軸部Ｗａ，Ｗａの外周面（研削部位）のうち砥石車４３，４３に研削される研削点から１８０°位相をずらした位置のたわみ変形量を検出する。
【００８６】
それぞれの変位センサ１００，１００は、それぞれの研削部位の局所的なたわみ変形量を検出する。それぞれの変位センサ１００，１００は、工作物Ｗに接触するセンサでもよいし、非接触のセンサでもよい。例えば、非接触式センサとしては渦電流センサを適用できる。ここで、たわみ変形量は、各研削部位の局所的な研削負荷に応じた値となる。そして、研削負荷算出部７１（図３に示す研削負荷算出部７１に相当）が、変位センサ１００，１００により検出されたたわみ変形量に基づいて、各研削部位の研削負荷または研削負荷に応じた値を算出する。そして、上記実施形態と同様に、各研削部位が図３に示す異常検出部７３にて研削異常であるか否かを判定する。このように、複数の研削部位のそれぞれについて、研削異常が発生しているか否かを判定できる。
【００８７】
また、変位センサ１００，１００を温度センサ１００，１００に置換することができる。温度センサ１００，１００は、変位センサ１００，１００と同様に、工作物Ｗに接触するセンサでもよいし、非接触のセンサでもよい。それぞれの温度センサ１００，１００は、工作物Ｗの各研削部位の温度を検出する。温度センサ１００，１００は、工作物Ｗのそれぞれの小径軸部Ｗａ，Ｗａの外周面（研削部位）のうち砥石車４３，４３に研削される研削点から位相をずらした位置、例えば、９０°や１８０°の位置の温度を検出する。ここで、研削負荷が大きいほど、研削部位の温度は高くなる。つまり、それぞれの温度センサ１００，１００により検出される研削部位の温度は、各研削部位の研削負荷に応じた値となる。そして、研削負荷算出部７１が、各研削部位の温度に基づいて、各研削部位の研削負荷または研削負荷に応じた値を算出する。
【００８８】
次に、第二例を説明する。図１７に示すように、第二例の工作物Ｗは、軸方向に連設する大径軸部Ｗｃおよび小径軸部Ｗｄを有する。工作物Ｗの研削部位は、大径軸部Ｗｃの外周面、小径軸部Ｗｄの外周面、および、大径軸部Ｗｃと小径軸部Ｗｄとの段差端面である。これらを同時に総型の砥石車４３により研削する。
【００８９】
そして、変位センサ２００，３００は、大径軸部Ｗｃの外周面および小径軸部Ｗｄのそれぞれの径方向たわみ変形量を検出する。そして、研削負荷算出部７１が、変位センサ２００，３００により検出されたそれぞれのたわみ変形量に基づいて、各研削部位の研削負荷または研削負荷に応じた値を算出する。そして、上記実施形態と同様に、各研削部位が図３に示す異常検出部７３にて研削異常であるか否かを判定する。なお、この例においても、変位センサ２００，３００を温度センサに置換することができる。
【００９０】
次に、第三例を説明する。図１８に示すように、第三例の工作物Ｗは、軸部Ｗｅおよびフランジ部Ｗｆを有する。工作物Ｗの研削部位は、軸部Ｗｅの外周面およびフランジ部Ｗｆの端面である。これらを同時に砥石車４３（アンギュラ砥石）の外周面によりアンギュラ研削を行う。ここで、アンギュラ研削とは、砥石車４３の回転中心軸を工作物Ｗの回転中心軸に対して傾斜させた状態で、工作物Ｗの外周面および端面を研削する方法をいう。
【００９１】
そして、変位センサ４００は、研削部位である軸部Ｗｅの外周面の径方向たわみ変形量を検出する。一方、変位センサ５００は、もう一つの研削部位であるフランジ部Ｗｆの端面の軸方向たわみ変形量を検出する。そして、研削負荷算出部７１が、変位センサ４００，５００により検出されたそれぞれのたわみ変形量に基づいて、各研削部位の研削負荷または研削負荷に応じた値を算出する。そして、上記実施形態と同様に、各研削部位が図３に示す異常検出部７３にて研削異常であるか否かを判定する。なお、この例においても、変位センサ４００，５００を温度センサに置換することができる。
【００９２】
また、第一例から第三例において、複数の研削部位のそれぞれを変位センサまたは温度センサによる検出値を用いて、それぞれの研削部位の研削負荷を算出した。この他に、第一実施形態に示したように、砥石車駆動用モータ４２の駆動電力などを併用することで、１つの変位センサまたは温度センサを減らすことができる。つまり、砥石車駆動用モータ４２の駆動電力に基づいて工作物Ｗ全体に生じる研削負荷を算出し、変位センサまたは温度センサにより局所的な研削部位の研削負荷を算出する。そして、変位センサおよび温度センサを設けていない研削部位は、工作物Ｗ全体の研削負荷から局所的な研削負荷を減算することにより算出できる。
【００９３】
＜その他＞
上記実施形態においては、粗研削から仕上研削へ移行する際には、研削開始からの経過時間、または、砥石車４３と工作物ＷとのＸ軸方向における相対位置によって切り替えている。ここで、仕上研削の開始のタイミングは、定寸装置により工作物Ｗの研削径が設定値に到達した時とすることがある。この場合には、定寸装置または制御装置は、仕上研削を開始する際に開始信号を出力する。そこで、異常監視に際して、当該信号を取得するまでは、粗研削のときの閾値を適用し、当該信号を取得した後に仕上研削の閾値を適用することもできる。このように、粗研削の閾値と仕上研削の閾値との切替タイミングを、定寸装置または制御装置からの出力信号を用いて決定することもできる。
【符号の説明】
【００９４】
１：研削盤、  １０：ベッド、  ３０：主軸台、  ４０：砥石支持装置、  ４１：砥石台、  ４２：砥石車駆動用モータ、  ４２ａ：モータ電力計、  ４３：砥石車、  ６０：制御装置、  １００，２００，３００，４００，５００：変位センサまたは温度センサ、  Ｗ：工作物
【図１】
2012098805.tif 000003
【図２】
2012098805.tif 000004
【図３】
2012098805.tif 000005
【図４】
2012098805.tif 000006
【図５】
2012098805.tif 000007
【図６】
2012098805.tif 000008
【図７】
2012098805.tif 000009
【図８】
2012098805.tif 000010
【図９】
2012098805.tif 000011
【図１０】
2012098805.tif 000012
【図１１】
2012098805.tif 000013
【図１２】
2012098805.tif 000014
【図１３】
2012098805.tif 000015
【図１４】
2012098805.tif 000016
【図１５】
2012098805.tif 000017
【図１６】
2012098805.tif 000018
【図１７】
2012098805.tif 000019
【図１８】
2012098805.tif 000020
【手続補正書】
【提出日】平成25年1月10日(2013.1.10)
【手続補正１】
【補正対象書類名】特許請求の範囲
【補正対象項目名】請求項１
【補正方法】変更
【補正の内容】
【請求項１】
工作物と砥石車とを相対移動させることにより前記工作物を研削する研削盤を用いて、同種の前記工作物を複数個研削する際における研削異常を監視する研削異常監視方法において、
少なくとも一個の前記工作物の試し研削を行う際に試し研削負荷を検出する試し研削負荷検出工程と、
前記試し研削負荷検出工程にて検出した前記試し研削負荷に基づいて研削負荷の上限閾値および下限閾値の少なくとも一方を設定する閾値設定工程と、
前記工作物の本番研削を行う際に本番研削負荷を検出する本番研削負荷検出工程と、
前記本番研削負荷検出工程にて検出した前記本番研削負荷と前記上限閾値および前記下限閾値の少なくとも一方とに基づいて研削異常を判定する研削異常判定工程と、
を備え、
前記上限閾値および前記下限閾値の少なくとも一方は、一個の前記工作物を研削する間において研削開始からの時間が経過するにつれて異なる値に設定される、または、一個の前記工作物を研削する間において前記工作物と前記砥石車との相対位置が変化するにつれて異なる値に設定され、
前記研削異常判定工程は、前記本番研削負荷が前記研削開始からの経過時間または前記工作物と前記砥石車との相対位置に応じた前記上限閾値および前記下限閾値の少なくとも一方を超えた場合に研削異常であると判定する、研削異常監視方法。
【手続補正２】
【補正対象書類名】特許請求の範囲
【補正対象項目名】請求項９
【補正方法】変更
【補正の内容】
【請求項９】
工作物と砥石車とを相対移動させることにより前記工作物を研削する研削盤を用いて、同種の前記工作物を複数個研削する際における研削異常を監視する研削異常監視装置であって、
研削開始からの経過時間または前記工作物と前記砥石車との相対位置に対する研削負荷を検出する研削負荷検出手段と、
少なくとも一個の前記工作物の試し研削を行う際に前記研削負荷検出手段により検出した試し研削負荷に基づいて研削負荷の上限閾値および下限閾値の少なくとも一方を設定する閾値設定手段と、
前記工作物の本番研削を行う際に前記研削負荷検出手段により検出した本番研削負荷と前記上限閾値および前記下限閾値の少なくとも一方とに基づいて研削異常を判定する研削異常判定手段と、
を備え、
前記上限閾値および前記下限閾値の少なくとも一方は、一個の前記工作物を研削する間において研削開始からの時間が経過するにつれて異なる値に設定される、または、一個の前記工作物を研削する間において前記工作物と前記砥石車との相対位置が変化するにつれて異なる値に設定され、
前記研削異常判定手段は、前記本番研削負荷が前記研削開始からの経過時間または前記工作物と前記砥石車との相対位置に応じた前記上限閾値および前記下限閾値の少なくとも一方を超えた場合に研削異常であると判定する、研削異常監視装置。
【手続補正３】
【補正対象書類名】明細書
【補正対象項目名】０００５
【補正方法】変更
【補正の内容】
【０００５】
（研削異常監視方法）
（１）本発明の研削異常監視方法は、工作物と砥石車とを相対移動させることにより前記工作物を研削する研削盤を用いて、同種の前記工作物を複数個研削する際における研削異常を監視する研削異常監視方法において、少なくとも一個の前記工作物の試し研削を行う際に試し研削負荷を検出する試し研削負荷検出工程と、前記試し研削負荷検出工程にて検出した前記試し研削負荷に基づいて研削負荷の上限閾値および下限閾値の少なくとも一方を設定する閾値設定工程と、前記工作物の本番研削を行う際に本番研削負荷を検出する本番研削負荷検出工程と、前記本番研削負荷検出工程にて検出した前記本番研削負荷と前記上限閾値および前記下限閾値の少なくとも一方とに基づいて研削異常を判定する研削異常判定工程とを備える。
そして、前記上限閾値および前記下限閾値の少なくとも一方は、一個の前記工作物を研削する間において研削開始からの時間が経過するにつれて異なる値に設定される、または、一個の前記工作物を研削する間において前記工作物と前記砥石車との相対位置が変化するにつれて異なる値に設定される。また、前記研削異常判定工程は、前記本番研削負荷が前記研削開始からの経過時間または前記工作物と前記砥石車との相対位置に応じた前記上限閾値および前記下限閾値の少なくとも一方を超えた場合に研削異常であると判定する。
【手続補正４】
【補正対象書類名】明細書
【補正対象項目名】００１９
【補正方法】変更
【補正の内容】
【００１９】
（研削異常監視装置）
（９）本発明の研削異常監視装置は、工作物と砥石車とを相対移動させることにより前記工作物を研削する研削盤を用いて、同種の前記工作物を複数個研削する際における研削異常を監視する研削異常監視装置であって、研削開始からの経過時間または前記工作物と前記砥石車との相対位置に対する研削負荷を検出する研削負荷検出手段と、少なくとも一個の前記工作物の試し研削を行う際に前記研削負荷検出手段により検出した前記試し研削負荷に基づいて研削負荷の上限閾値および下限閾値の少なくとも一方を設定する閾値設定手段と、前記工作物の本番研削を行う際に前記研削負荷検出手段により検出した本番研削負荷と前記上限閾値および前記下限閾値の少なくとも一方とに基づいて研削異常を判定する研削異常判定手段とを備える。
そして、前記上限閾値および前記下限閾値の少なくとも一方は、一個の前記工作物を研削する間において研削開始からの時間が経過するにつれて異なる値に設定される、または、一個の前記工作物を研削する間において前記工作物と前記砥石車との相対位置が変化するにつれて異なる値に設定される。また、前記研削異常判定手段は、前記本番研削負荷が前記研削開始からの経過時間または前記工作物と前記砥石車との相対位置に応じた前記上限閾値および前記下限閾値の少なくとも一方を超えた場合に研削異常であると判定する。
【国際調査報告】
2012098805.tif 000021
2012098805.tif 000022
2012098805.tif 000023
2012098805.tif 000024